(57)【要約】【課題】  例えば動物園や水族館において撮影装置により撮影している対象物について、その場でその画像に関連する情報を表示するようにした携帯情報端末について、撮影装置により撮影した画像とデータベースにより取得した画像情報を対比させて表示させるようにした携帯情報端末を提供すること。【解決手段】  撮像手段１と、撮像手段を介して撮影された画像を表示する表示手段２と、表示手段に表示された画像内の所定の対象物の情報を取得する対象物情報取得手段６を有し、対象物情報取得手段を介して取得された情報を表示手段に表示する携帯情報端末において、対象物情報取得手段がアクセスして情報を取得するデータベース７には画像情報が含まれるとともに、撮像手段により取得した撮影画像と、対象物情報取得手段を介して取得した画像情報を含む対象物情報を、表示手段に並べて表示する撮影画像・対象物情報対比手段８を有する。【選択図】  図１
2009284211.tif 000002
【特許請求の範囲】
【請求項１】
撮像手段と、前記撮像手段を介して撮影された画像を表示する表示手段と、前記表示手段に表示された前記画像内の所定の対象物の情報を取得する対象物情報取得手段を有し、前記対象物情報取得手段を介して取得された情報を前記表示手段に表示する携帯情報端末において、
前記対象物情報取得手段がアクセスして情報を取得するデータベースには画像情報が含まれるとともに、
前記撮像手段により取得した撮影画像と、前記対象物情報取得手段を介して取得した画像情報を含む対象物情報を、前記表示手段に並べて表示する撮影画像・対象物情報対比手段、を有することを特徴とする携帯情報端末。
【請求項２】
前記対象物について類似情報の検索を行う類似情報検索手段を有し、
前記類似情報検索手段がアクセスして情報を取得するデータベースには画像情報が含まれるとともに、
前記対象物情報取得手段により取得した画像情報を含む対象物情報と、前記類似情報検索手段により取得した画像情報を含む類似情報を、前記表示手段に並べて表示する対象物情報・類似情報対比手段、を有することを特徴とする請求項１に記載の携帯情報端末。
【請求項３】
前記表示手段に、画像情報を含む対象物情報及び類似情報を、同じ形式で表示するようにしたことを特徴とする請求項２に記載の携帯情報端末。
【請求項４】
前記撮像手段による撮影画像について、情報を表示可能な対象物を抽出する対象物抽出手段を有し、前記表示手段に表示するようにしたことを特徴とする請求項１〜３のいずれかに記載の携帯情報端末。
【請求項５】
請求項１〜４のいずれかに記載の携帯情報端末における前記対象物情報取得手段及び前記類似情報検索手段を介して検索可能なデータベースを備えたサーバと、
前記サーバと通信可能な通信手段を備えた、請求項１〜４のいずれかに記載の携帯情報端末とからなることを特徴とする携帯情報システム。
【発明の詳細な説明】
【技術分野】
【０００１】
本発明は、例えば動物園や植物園において撮像装置により対象物を撮影し、その場でその画像に関連する情報を表示するようにした携帯情報端末及びシステムに関するものである。特に撮影した画像とデータベースに収録されている画像を含む情報を同時に対比して表示ができるようにしたものである。
【背景技術】
【０００２】
撮像装置により撮影した画像に関し、その画像に関連する情報を表示するようにしたものとしては、例えば特許文献１に示すものがある。
【特許文献１】特開２００７−１７９３８９号公報
【発明の開示】
【発明が解決しようとする課題】
【０００３】
しかし、上記特許文献１に示されるものにあっては、撮像装置により撮影した画像についての情報はテキストデータしか表示されない。画像が表示されないので、対象物が正確に検索されているか確認できない。また、撮影画像と異なる構図や違う角度からの画像も確認できたら、撮影画像に基づき取得した情報の確認がより正確に行える。
【０００４】
あるいは、例えば動物園において、撮影した画像と類似している動物の情報を知りたいような場合がある。このような場合、撮影した動物に類似する動物についても画像付きで情報を得ることができれば、より動物園での楽しみが広がる。
【０００５】
本発明は、このような課題に鑑みてなされたものであり、その目的とするところは、撮像装置により撮影した画像をもとにして、その画像についての情報検索とともに類似する情報の検索もして、それらの情報を画像付きで提示できるようにした携帯情報端末を提供することである。
【課題を解決するための手段】
【０００６】
上記の目的を達成するために、本発明の携帯情報端末は撮像手段と、前記撮像手段を介して撮影された画像を表示する表示手段と、前記表示手段に表示された前記画像内の所定の対象物の情報を取得する対象物情報取得手段を有し、前記対象物情報取得手段を介して取得された情報を前記表示手段に表示する携帯情報端末において、前記対象物情報取得手段がアクセスして情報を取得するデータベースには画像情報が含まれるとともに、前記撮像手段により取得した撮影画像と、前記対象物情報取得手段を介して取得した画像情報を含む対象物情報を、前記表示手段に並べて表示する撮影画像・対象物情報対比手段、を有することを特徴とする。
【０００７】
また、本発明の携帯情報端末においては、前記対象物について類似情報の検索を行う類似情報検索手段を有し、前記類似情報検索手段がアクセスして情報を取得するデータベースには画像情報が含まれるとともに、前記対象物情報取得手段により取得した画像情報を含む対象物情報と、前記類似情報検索手段により取得した画像情報を含む類似情報を、前記表示手段に並べて表示する対象物情報・類似情報対比手段、を有することが好ましい。
【０００８】
また、本発明の携帯情報端末においては、前記表示手段に、画像情報を含む対象物情報及び類似情報を、同じ形式で表示することが好ましい。
【０００９】
また、本発明の携帯情報端末においては、前記撮像手段による撮影画像について、情報を表示可能な対象物を抽出する対象物抽出手段を有し、前記表示手段に表示することが好ましい。
【００１０】
また、本発明の携帯情報システムは、上記本発明のいずれかの携帯情報端末における前記対象物情報取得手段及び前記類似情報検索手段を介して検索可能なデータベースを備えたサーバと、前記サーバと通信可能な通信手段を備えた、上記本発明のいずれかの携帯情報端末とからなることを特徴としている。
【発明の効果】
【００１１】
撮影した画像に基づいて、撮影した画像についての情報や、それに類似する情報について画像付きで対比させながら確認することができる。よって、撮影した画像に基づいて取得した情報をデータベースの画像と対比させながら確認でき、また撮影した画像に関連する幅広い情報を知ることができる。
【発明を実施するための最良の形態】
【００１２】
本発明の説明に先立ち、用語の定義を行うこととする。
本発明における対象物情報とは、例えば、対象物が動物である場合における、目、科、属、大きさ、分布、生息地、食べ物などの文字情報と、それらを撮影画像と同じ構図や違う角度から表示するようにした画像情報をいう。また、動物でいえば、雌雄や各生育段階や季節ごとの画像情報なども含まれる。類似情報とは対象物と何らかの類似性や関連性のある情報をいう。例えば、対象物が動物である場合における、目、科、属などの分類で共通性があるものをいう。また、目、科、属などの分類とは関係なしに、画像上類似しているものも含まれる。
【００１３】
図１は本発明の携帯情報端末の概略構成の一例を示す説明図である。
本発明の携帯情報端末は、撮像手段１と、表示手段２と、抽出手段３と、制御手段４と、保存手段５を有している。また、対象物情報取得手段６と、データベース７と、撮影画像・対象物情報対比手段８を有している。
【００１４】
表示手段２は、表示画面２1と対比情報表示画面２2で構成されている。
そして表示画面２1は、その表面がタッチパネルで構成されている。そして、表示画面２1は、制御手段４からの制御命令により、撮像手段１を介して撮影された画像をリアルタイムで表示する機能に加えて、タッチパネルを介して表示されている所定の対象物を選択させる機能を備えている。
撮像手段１は、例えば表示画面２1の裏側に設けられている。
【００１５】
抽出手段３は、表示画面２1にリアルタイムで表示されている画像から対象物を抽出する。なお、画像から対象物を抽出することができれば、従来公知のどのような構成でも良い。
対象物情報取得手段６は、抽出手段３を介して抽出された対象物から選択された対象物についてデータベース７にアクセスし、対象物の情報を取得する。データベース７はテキストデータだけではなく、画像情報も有しているものを使用する。
保存手段５は、表示画面２1にリアルタイムで表示されている画像を記憶・保存する。
【００１６】
制御手段４は、マイクロコンピュータを備えた制御回路であり、携帯情報端末の動作を次のように制御する。
観察者が撮像手段１を所定の観察視野に向けたときには、撮像手段１にその所定の観察視野を撮影させる。次いで、撮影された画像を、表示画面２1にリアルタイムで表示する。次いで、抽出手段３に、表示画面２1にリアルタイムで表示されている画像情報から対象物を抽出させる。
また、対象物情報取得手段６により、抽出手段３を介して抽出された対象物のうち、対象物として選択されたものの情報を取得するためにデータベース７にアクセスする。そして、取得された情報と撮影画像を、撮影画像・対象物情報対比手段８により対比情報表示画面２2に表示する。
【００１７】
このように構成された本発明の携帯情報端末では、観察者が撮像手段１を所定の観察視野に向けると、撮像手段１が所定範囲の観察視野を撮影する。撮影された画像は、表示画面２1にリアルタイムで表示される。次いで、抽出手段３が表示画面２1にリアルタイムで表示されている画像から対象物を抽出する。そして、対象物として選択された対象物について、データベース７より情報を取得し、対比情報表示画面２2に取得された情報と撮影画像を表示する。
【００１８】
また、本発明による携帯情報システムは、上記本発明の携帯情報端末における対象物情報取得手段６を介して検索可能なデータベースを備えたサーバと、サーバと通信可能な通信手段を備えた、上記本発明の携帯情報端末とからなるようにするとよい。
携帯情報端末における対象物情報の取得は、データベータを対象に検索する。その場合に、データベースを携帯情報端末に備えてもよいが、そうすると、容量の都合上、検索可能なデータが比較的限られたものとなる。そこで、本発明の携帯情報システムのように、データベースを携帯情報端末の外部のサーバに設け、携帯情報端末に備わる通信部を介してサーバとの交信によりデータの検索ができるようにすれば、検索するデータベースのデータ量を大きくすることができ、より多くの対象物についてより詳しい詳細情報を得ることができるようになる。本発明はデータベースに画像情報を含む必要があり、データ量が大きくなるのでこのような仕組みにするとよい場合がある。
【００１９】
次に、本発明のより具体的な実施形態について説明する。
第一実施形態
図２は本発明の第一実施形態にかかる携帯情報端末の概略構成図、図３は図２の携帯情報端末における表示画面の一表示例を示す説明図であり、(a)はリアルタイム表示画面、(b)は撮影画像・対象物情報表示画面である。図４は図２の携帯情報端末における表示画面の他表示例を示す説明図であり、(a)はリアルタイム表示画面、(b)は対象物情報・類似情報表示画面である。図５は対象物として表示された例を示す表示画面の説明図である。図６は第一実施形態の携帯情報端末を用いた操作及び処理手順を示すフローチャートである。なお、図１に示す構成と同じ部分については同じ符号を付し、説明は省略する。
【００２０】
第一実施形態にかかる携帯情報端末では、表示手段２は、表示画面２1と、対比情報表示画面２2を有している。
表示画面２1は、画像表示部２1ａと、対象物選択部２1ｂとしての機能を有している。画像表示部２1ａは、制御手段４からの制御命令により、撮像手段１を介して撮像された画像、及び後述する対象物抽出手段３により抽出された対象物抽出情報をリアルタイムで表示する機能を有する。対比情報表示画面２2は、後述する対象物情報取得手段６により取得した対象物情報を撮影画像と対比させて表示する。また、類似情報検索手段９により取得した類似情報を対象物情報と対比させて表示する機能を有する。対象物選択部２1ｂは、タッチパネルを介して、画像表示部２1ａに表示されている対象物のうちから対象物情報や類似情報の表示を所望する対象物を、観察者に選択させる機能を有する。
【００２１】
第一実施形態にかかる携帯情報端末では、抽出手段３を介して撮像手段１により取得した画像情報から抽出された対象物の情報をキーとして情報を表示可能な対象物を抽出する。そして、表示画面２1の画像表示部２1ａにおける対象物に対応する位置に表示する。そして、対象物選択部２1ｂで対象物として指定されたものの情報を対象物情報取得手段６を介して画像情報を有しているデータベース７にアクセスして取得する。そして、撮影画像・対象物情報対比手段８により、対象物情報の画像情報とテキストデータを撮影画像と対比させて対比情報表示画面２2に表示する。
【００２２】
また、対象物情報取得手段６により対象物情報を取得した対象物について、対象物選択部２1ｂで類似情報検索対象物として指定されたものの情報を類似情報検索手段９を介して画像情報を有しているデータベース７にアクセスして取得する。そして、対象物情報・類似情報対比手段１０により、対象物情報の画像情報とテキストデータを、類似情報の画像情報とテキストデータと対比させて対比情報表示画面２2に表示する。
【００２３】
また、第一実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮影させる。次いで、撮影された画像を、表示画面２1の画像表示部２1ａにリアルタイムで表示させる。次いで、抽出手段３に、表示画面２1にリアルタイムで表示されている画像から対象物を抽出させる。
【００２４】
また、観察者が表示画面２1の対象物選択部２1ｂにおいて、対象物として抽出されている対象物のうち、情報の表示を所望する対象物の表示部位にタッチしたら、対象物情報取得手段６によりデータベース７にアクセスし、対象物に関連する情報を取得させる。そして、撮影画像・対象物情報対比手段８により、対象物の画像情報とテキストデータを撮影画像と対比させて対比情報表示画面２2に表示させる。
【００２５】
また、観察者が表示画面２1の対象物選択部２1ｂにおいて、対象物情報が取得された対象物のうち類似情報の表示を所望する対象物を選択したら、類似情報検索手段９によりデータベース７にアクセスし、対象物に関連する類似情報を取得させる。そして、対象物情報・類似情報対比手段１０により、対象物の画像情報とテキストデータを、類似情報の画像情報とテキストデータと対比させて対比情報表示画面２2に表示させる。
【００２６】
このように構成された第一実施形態の携帯情報端末を用い、所望の観察視野を観察するときの表示画面の表示内容を、図３〜図５を用いてサファリパーク等の広大な領域を観察する場合について説明する。
携帯情報端末は例えば、ヒンジで連結された上蓋と本体部より構成した二つ折れとし、上蓋が本体部に対して開閉可能となっている。上蓋の外側の中央には撮像手段１のレンズが配設してある。また上蓋の内面には表示画面２1が設けてあり、本体部の内面には対比情報を表示する対比情報表示画面２2が設けてある。
【００２７】
使用時には上蓋を９０度開く。すると、上蓋の外側の中央に設けた撮像手段１のレンズが取得対象となる対象物の方を向くことになる。ここで、観察視野Ａに対し上蓋を向けると、図３(a)に示すように表示手段２となる表示画面２1に、撮像手段１での撮影範囲の画像、象Ａ１、カバＡ２、蝶Ａ３が表示されることになる。
【００２８】
ここで、図５に示すように抽出手段３により抽出され、対象物としての情報を表示可能な×印のマークが表示された象Ａ１と蝶Ａ３のうち、蝶Ａ３を対象物選択部３1ｂで選択したとする。すると、対象物情報取得手段６が画像データも有しているデータベース７にアクセスし、蝶Ａ３に関連する情報を取得する。そして、図３(b)に示すように撮影画像・対象物情報対比手段８により、蝶Ａ３の画像情報ＢとテキストデータＣを撮影画像Ｄと対比させて対比情報表示画面２2に表示する。図３(b)は撮像手段１により撮影した対象物の撮影画像Ｄを画面左に、対象物情報取得手段６によりデータベース７により取得した「カラスアゲハ」についての情報のうち画像情報Ｂを画面右に、テキストデータＣを画面下部に表示した例を示したものである。
【００２９】
撮像手段１による撮影画像と、データベース７による対象物の画像情報を対比して表示するようにしたので、対象物情報取得手段６により取得した対象物の画像と撮影画像が即座に確認できる。また、データベース７から画像情報を複数取得することにより、対象物の画像としては、撮影画像と同じような構図を表示させたり、撮影画像とは違う角度からの画像を表示させたり、撮影画像と異なる雌雄の画像を表示させたりすることができる。
【００３０】
次に、対象物情報取得手段６により取得した「カラスアゲハ」を対象物として、対象物選択部２1ｂで類似情報検索の対象物に指定する。すると、類似情報検索手段９を介して画像情報を有しているデータベース７にアクセスして類似情報の画像情報とテキストデータ情報を取得する。そして、図４(b)に示すように対象物情報・類似情報対比手段１０により、対象物情報として「カラスアゲハ」の画像情報ＢとテキストデータＣを、類似情報として「ミヤマカラスアゲハ」の画像情報ＥとテキストデータＦと対比させて対比情報表示画面２2に表示する。
【００３１】
対象物情報と類似情報を対比させ易くするため、画像情報は似たような構図のものを使用する。また、情報内容の確認の便宜のため、対象物情報と類似情報を同じ形式で表示する。また、撮影画像だけでは対象物の全体が確認できない場合もあるので、撮影画像とは異なる構図でもって、対象物情報と類似情報の画像をデータベース７から取得して表示できるようにしてもよい。
【００３２】
次に、図６のフローチャートに基づき上記図３〜図５に示す携帯情報端末の操作及び処理手順について説明する。
【００３３】
撮影された観察視野Ａの画像は、表示画面２1の画像表示部２1ａにリアルタイムで表示される（ステップＳ１１）。次いで、抽出手段３が表示画面２1にリアルタイムで表示されている画像から対象物を抽出して画像表示部２1ａに表示する（ステップＳ１２）。
【００３４】
ここで、観察者が抽出された対象物から、撮像手段１を介して撮影された画像がリアルタイムで表示されている表示画面２1の対象物選択部２1ｂで対象物を指定する。すると、対象物情報取得手段６を介して画像情報を有しているデータベース７にアクセスして対象物の画像情報とテキストデータ情報を検索する（ステップＳ１３）。
【００３５】
そして、撮影画像・対象物情報対比手段８により、データベース７より取得した対象物の画像情報とテキストデータを、撮像手段１を介して撮影された撮影画像と対比させて対比情報表示画面２2に表示する（ステップＳ１４）。これにより、対象物情報についての検索ステップは完了する。
【００３６】
次に、観察者が対象物情報取得手段６により情報を取得した対象物を、表示画面２1の対象物選択部２1ｂで類似情報検索の対象物に指定する（ステップＳ１５）。すると、類似情報検索手段９を介して画像情報を有しているデータベース７にアクセスして類似情報の画像情報とテキストデータ情報を検索する（ステップＳ１６）
【００３７】
そして、対象物情報・類似情報対比手段１０により、対象物情報の画像情報とテキストデータを、類似情報の画像情報とテキストデータと対比させて対比情報表示画面２2に表示する（ステップ１７）。これにより、類似情報についての検索ステップは完了する。
【００３８】
第二実施形態
図７は本発明の第二実施形態にかかる携帯情報端末、及び携帯情報システムの概略構成図、図８は第二実施形態の携帯情報端末、及び携帯情報システムを用いた操作及び処理手順を示すフローチャートである。なお、図１及び図２に示す構成と同じ部分については同じ符号を付し、説明は省略する。
【００３９】
第二実施形態の携帯情報システムは、携帯情報端末１２と、サーバ２０とからなる。
第二実施形態の携帯情報端末１２は、通信部１１を有している。
サーバ２０は、通信部２１と、データベース２２を有している。データベース２２には、所定の対象物に関連する画像情報とテキストデータ情報が蓄積されている。通信部２１は、携帯情報端末１０の通信部１１と交信することができるようになっている。
【００４０】
対象物情報取得手段６は、抽出手段３を介して抽出された対象物の情報をキーとし、通信部１１を介して、サーバ２０の通信部２１と交信し、データベース２２内のデータと照合処理を行う。そして、データベース２２内のデータに一致するデータがある場合には、取得した情報を表示画面２1に表示する。
また、類似情報検索手段９は、対象物情報を取得した対象物について、通信部１１を介して、サーバ２０の通信部２１と交信し、データベース２２内のデータにアクセスし、対象物に関連する類似情報を取得して対比情報表示画面２2に表示する。
【００４１】
また、制御手段４は、携帯情報端末の動作を次のように制御する。
観察者が撮像手段１を所定の観察視野に向けたときには、撮像手段１にその所定の観察視野を撮影させる。次いで、撮影された画像を、表示画面２1にリアルタイムで表示する。次いで、抽出手段３に、表示画面２1にリアルタイムで表示されている画像から対象物を抽出させる。
【００４２】
また、観察者が表示画面２1の対象物選択部２1ｂにおいて、対象物として抽出されている対象物のうち情報の表示を所望する対象物の表示部位にタッチしたら、対象物情報取得手段６が通信部１１を介して、サーバ２０の通信部２１と交信し、データベース２２内のデータにアクセスし、対象物に関連する情報を取得させる。そして、撮影画像・対象物情報対比手段８により、対象物の画像情報とテキストデータを撮影画像と対比させて対比情報表示画面２2に表示させる。
【００４３】
また、観察者が表示画面２1の対象物選択部２1ｂにおいて、対象物情報が取得された対象物のうち類似情報の表示を所望する対象物を選択したら、類似情報検索手段９が通信部１１を介して、サーバ２０の通信部２１と交信し、データベース２２内のデータにアクセスし、対象物に関連する類似情報を取得させる。そして、対象物情報・類似情報対比手段１０により、対象物の画像情報とテキストデータを、類似情報の画像情報とテキストデータと対比させて対比情報表示画面２2に表示させる。
【００４４】
次に、図８のフローチャートに基づき本実施形態の携帯情報システムの操作及び処理手順について説明する。
【００４５】
撮影された観察視野Ａの画像は、表示画面２1の画像表示部２1ａにリアルタイムで表示される（ステップＳ２１）。次いで、抽出手段３が表示画面２1にリアルタイムで表示されている画像から対象物を抽出して画像表示部２1ａに表示する（ステップＳ２２）。
【００４６】
ここで、観察者が抽出された対象物から、撮像手段１を介して撮影された画像がリアルタイムで表示されている表示画面２1の対象物選択部２1ｂで対象物を指定する。すると、対象物情報取得手段６が通信部１１を介して、サーバ２０の通信部２１と交信し、データベース２２内のデータにアクセスし、対象物の画像情報とテキストデータ情報を検索する（ステップＳ２３）。
【００４７】
そして、撮影画像・対象物情報対比手段８により、データベース２１より取得した対象物の画像情報とテキストデータを、撮像手段１を介して撮影された撮影画像と対比させて対比情報表示画面２2に表示する（ステップＳ２４）。これにより、対象物情報についての検索ステップは完了する。
【００４８】
次に、観察者が対象物情報取得手段６により情報を取得した対象物を、表示画面２1の対象物選択部２1ｂで類似情報検索の対象物に指定する（ステップＳ２５）。すると、類似情報検索手段９が通信部１１を介して、サーバ２０の通信部２１と交信し、データベース２２内のデータにアクセスし、類似情報の画像情報とテキストデータ情報を検索する（ステップＳ２６）
【００４９】
そして、対象物情報・類似情報対比手段１０により、対象物情報の画像情報とテキストデータを、類似情報の画像情報とテキストデータと対比させて対比情報表示画面２2に表示する（ステップＳ２７）。これにより、類似情報についての検索ステップは完了する。
【産業上の利用可能性】
【００５０】
本発明は、広大な範囲の領域に生息する複数種類の動物を観察することを必要とする分野に有用であり、特に外観上似たようなものが多い場合に有効である。
【図面の簡単な説明】
【００５１】
【図１】本発明の携帯情報端末の概略構成の一例を示す説明図である。
【図２】本発明の第一実施形態にかかる携帯情報端末の概略構成図である。
【図３】図２の携帯情報端末における表示画面の一表示例を示す説明図で、(a)はリアルタイム表示画面、(b)は撮影画像・対象物情報表示画面である。
【図４】図２の携帯情報端末における表示画面の他表示例を示す説明図であり、(a)はリアルタイム表示画面、(b)は対象物情報・類似情報表示画面である。
【図５】対象物として表示された例を示す表示画面の説明図である。
【図６】第一実施形態の携帯情報端末を用いた操作及び処理手順を示すフローチャートである。
【図７】本発明の第二実施形態にかかる携帯情報端末、及び携帯情報システムの概略構成図である。
【図８】第二実施形態の携帯情報端末、及び携帯情報システムを用いた操作及び処理手順を示すフローチャートである。
【符号の説明】
【００５２】
１          撮像手段
２          表示手段
２1        （リアルタイム画像）表示画面
２2         対比情報表示画面
３          抽出手段
４          制御手段
５          保存手段
６          対象物情報取得手段
７          データベース
８          撮影画像・対象物情報対比手段
９          類似情報検索手段
１０        対象物情報・類似情報対比手段
１１        通信部
１２        携帯情報端末
２０        サーバ
２１        通信部
２２        データベース
【図１】
2009284211.tif 000003
【図２】
2009284211.tif 000004
【図３】
2009284211.tif 000005
【図４】
2009284211.tif 000006
【図５】
2009284211.tif 000007
【図６】
2009284211.tif 000008
【図７】
2009284211.tif 000009
【図８】
2009284211.tif 000010